(57)【特許請求の範囲】
【請求項１】
周囲に突出する突出部を有する被包装物を包装する一枚の包装シート材からなる包装装置において、
前記包装装置は、
前記被包装物の長手方向に筒状に折り曲げられ当該被包装物の長手方向を保護する底面部と両側面部と天面部とからなる胴体部を設け、
前記胴体部の底面部の両端に対向して折曲げられるつま面部を設け、
前記つま面部の両側に内側方向に筒状に折曲げられて前記つま面部に当接し前記底面部の４隅にそれぞれ配置されて前記被包装物の端部を保護する上面開口の角筒部を設け、
前記角筒部の内側に前記被包装物の前記突出部が挿入される切欠き凹部を設け、
前記つま面部の端部に一対のスリットを形成したフラップ部を設け、
前記フラップ部に形成したスリットを前記角筒部の辺に差し込んで当該フラップ部を前記上面開口から前記角筒部内に鋭角に折り曲げるとともに前記角筒部外に鋭角に折曲げて前記角筒部に係止し、前記角筒部が被包装物に対して常に直角に保たれることを特徴とする包装装置。
【発明の詳細な説明】
【０００１】
【発明の属する技術分野】
本発明は、照明器具の包装装置に関する。
【０００２】
【従来の技術】
従来、照明器具に取付けられる反射笠などの包装装置は、図７に示すように、２個の反射笠同士を向き合わせて重ね、当該重ね合わせた反射笠２０，２０の長手方向に沿って筒状に巻き込む底面部２３と両側面部２２，２２と天面部２１，２１とからなる胴体部２５と、当該胴体部の両端にそれぞれ配置される略Ｃ形状に折り曲げられた一対のＣ形緩衝体２４，２４とで梱包している。胴体部２５とＣ形緩衝体２４は、包装シート材として、例えば、段ボール板材を使用し折曲げ形成されている。
【０００３】
なお、Ｃ形緩衝体をＣ形状に折り曲げたのは、被包装物である反射笠端面より突出する突出部としての枠部２０ａを挟み込んで逃がすためである。
【０００４】
【発明が解決しようとする課題】
上記のように従来の包装装置は、第１に胴体部１個とＣ形緩衝体２個、計３個の包装材を使用することから、包装材の製造、運般、梱包から産業廃棄物処理に至るまでの包装にかかる全ての工程において、時間とコストがかかるという問題があった。
【０００５】
第２に被包装物である一対の反射笠端面を保護するＣ形緩衝体は、一枚の段ボール板材をＣ形に折曲げたもので、当該包装装置のつま面を実質、段ボール一枚分で受けているだけなので、落下衝撃から被包装物を保護するのに不安がある。そこで、衝撃性の高い材質を使用していることからコストがアップするという問題があった。
【０００６】
本発明は上記の点に鑑みてなされたもので、包装材の製造、運般、梱包から産業廃棄物処理に至るまでの包装にかかる全ての工程において安価で且つ強度の高い包装装置を提供することを課題とする。
【０００７】
【課題を解決するための手段】
前記課題を達成するために、請求項１記載の本発明に係る包装装置は、周囲に突出する突出部を有する被包装物を包装する一枚の包装シート材からなる包装装置において、前記包装装置は、前記被包装物の長手方向に筒状に折り曲げられ当該被包装物の長手方向を保護する底面部と両側面部と天面部とからなる胴体部を設け、前記胴体部の底面部の両端に対向して折曲げられるつま面部を設け、前記つま面部の両側に内側方向に筒状に折曲げられて前記つま面部に当接し前記底面部の４隅にそれぞれ配置されて前記被包装物の端部を保護する上面開口の角筒部を設け、前記角筒部の内側に前記被包装物の前記突出部が挿入される切欠き凹部を設け、前記つま面部の端部に一対のスリットを形成したフラップ部を設け、前記フラップ部に形成したスリットを前記角筒部の辺に差し込んで当該フラップ部を前記上面開口から前記角筒部内に鋭角に折り曲げるとともに前記角筒部外に鋭角に折曲げて前記角筒部に係止し、前記角筒部が被包装物に対して常に直角に保たれることを特徴とするものである。
【００１０】
上記請求項１記載の構成において、被包装物の長手方向を保護する胴体部の４隅に、緩衝体となる角筒部をそれぞれ配置する。これら角筒部は、被包装物の両端において、被包装物としての反射笠の堅牢箇所である板金曲げ部分に角筒部をあてがっている。
【００１１】
さらに、フラップ部に入れたスリットを角筒部の辺にそれぞれ差し込み、フラップ部を角筒部内および角筒部外にそれぞれ折り曲げ、当該角筒部の辺に係止させることで、角筒部が菱形に倒れたがる癖を矯正し、常に、被包装物に対して直角に保つことで、落下等の衝撃荷重から緩衝体としての角筒部が潰れるのを防止する。
【００１４】
【発明の実施の形態】
以下、図１〜図６を参照して本発明の実施の形態を説明する。なお、従来技術と同一構成部品は同一番号を付して説明する。
【００１５】
図１は本発明に係る包装装置を展開したもので、当該包装装置は、一枚の包装材として、例えば、段ボール板材を使用し、矩形状の底面部２と、当該底面部の両側にそれぞれ折り筋線を介して設けられた一対の矩形状の側面部３，３と、当該側面部の両側にそれぞれ折り筋線を介して設けられた一対の矩形状の天面部４，４とからなる胴体部１と、この胴体部の底面部２長手方向両端にそれぞれ折り筋線を介して一対のつま面部５，５が延長して設けられている。
【００１６】
当該つま面部５の両側に折り筋線を介して拡がる矩形状の外側面６ａと内端面６ｂと内側面６ｃと前記つま面部の裏面と当接する外端面６ｄとからなる角筒部６がそれぞれ設けられ、当該角筒部６は、図２に示すように、筒状に折曲げられる。さらに、外端面５ｄの上端部側は、角筒部内に折曲げられる後述するフラップ部９が当たらないように切り欠かれた切り欠き７をなしている。
【００１７】
また、角筒部の外側面６ａと内端面６ｂおよび内側面６ｃの幅方向中央には、矩形状の切欠き孔８ａが穿設され、当該角筒部６を筒状に折曲げた際、角筒部の内側中央には、図２に示すように、反射笠端面より突出する脆弱箇所である突出部分としての枠部２０ａが挿入される切欠き凹部８が形成される。
【００１８】
さらに、前記つま面部５の長手方向延長上には、折り筋線を介して矩形状のフラップ部９が設けられ、当該フラップ部９の両側には、一対のスリット１０，１０がそれぞれ設けられている。なお、Ａは包装板材としての段ボールの中芯のフルート方向を示すものである。
【００１９】
図２〜図５を参照して本発明に係る包装装置の組立て方法を説明する。
【００２０】
最初に、つま面部５の両側にそれぞれ設けられている外側面６ａと内端面６ｂと内側面６ｃおよび外端面６ｄからなる４面を矢印に示すように内側方向に折り筋線に沿って筒状に折曲げ、角筒部６，６をそれぞれ形成する。なお、角筒部６を筒状に折曲げた際には、筒状部６の外端面６ｄは、つま面部５に当接した状態になる。
【００２１】
底面部２の両端に設けられたつま面部５の両側には、筒状部６，６がそれぞれ形成され、当該筒状部６の内側中央には、切欠き凹部８が形成されている。
【００２２】
つぎに、底面部２の中央に向き合わせて重ねられた一対の反射笠２０，２０を載置する。なお、これら反射笠２０の周囲には、当該反射笠から突出して突出部としての枠部２０ａが設けられている。
【００２３】
それから、つま面部５を折り筋線に沿って上方に向けて折曲げていくと、筒状部６の内側中央に形成された切欠き凹部８は、図４に示すように、反射笠の突出部分としての枠部２０ａが逃げた状態で挿入され折曲げられる。
【００２４】
つぎに、フラップ部９を内側方向に折曲げていくと、当該フラップ部９の両側に設けられたスリット１０，１０は、角筒部の辺６ｆ，６ｆにそれぞれ差し込まれ、当該フラップ部９ｂ，９ａ，９ｂは、角筒部内と角筒部外に鋭角にそれぞれ折り曲げられ当該角筒部で係止される。
【００２５】
フラップ部９ｂ，９ａ，９ｂを角筒部内と角筒部外に折り曲げた際、筒状部６の外端面６ｄの上端に切り欠き７が形成されていることから、図６に示すように、フラップ部の角筒部内に折り込んだフラップ部の辺１６，１６と、角筒部外に折り込んだフラップ部の辺１５とが同じ高さになる。
【００２６】
最後に、４隅に形成した角筒部６を覆うように、両側面部３，３と天面部４，４を折り筋線に沿って折曲げたのち、図３に示すように、天面部４，４の突当て部に沿ってＰＰテープ１８を貼付けることにより包装作業を完了する。
【００２７】
次に上記実施の形態の作用を説明する。
【００２８】
１枚の段ボール板材を、図１に示すように、底面部２と両側面部３，３と天面部４からなる胴体部１の長手方向両端に底面部から延長されるつま面部５，５があり、そのつま面の両側に拡がる４面からなる角筒部６が、底面部の４隅に配置される。
【００２９】
これら角筒部６は、反射笠２０の端部において、図５に示すように、当該反射笠の堅牢箇所である板金曲げ部１３に角筒部の内側曲げ部１４をあてがっており、又角筒部６は、図４に示すように、反射笠の端面１１に緩衝体としてあてがわれる。
【００３０】
又、つま面延長上に具備されるフラップ部９に、角筒部の巾間隔で入れたスリット１０，１０を角筒部の辺６ｆ，６ｆにそれぞれ差し込み、フラップ部９を角筒部内および角筒部外に鋭角に折り曲げ圧入係止させることで、角筒部自体の菱形に倒れたがるクセを矯正し、常に、被包装物に対して直角に保つことで、落下等の衝撃荷重から緩衝体としての角筒部が潰れるのを防止するのに、最大の効果を発揮させるような構造としている。
【００３１】
脆弱箇所としての枠部２０ａについては、角筒部の切欠き凹部８により逃げているので、反射笠の枠部２０ａが潰れるのを防止する。
【００３２】
フラップ部９を角筒部内および角筒部外に鋭角にそれぞれ折り込む際、フラップ部が角筒部を形成する折曲げ片としての外端面６ｄの上端に当る部分に切り欠き７が設けられているから、図６に示すように、当該フラップ部の角筒部内に折り込んだ辺１６と、角筒部外に折り込んだ辺１５とが同じ高さになるようにできる。このため、天面部４を閉じた時に、つま面部５が段違いに形成され、天面部４とつま面部５との間に隙間があいて埃が進入するのを防ぎ、外観上の見栄えも良い。
【００３３】
最後に、上記の包装材を反射笠２０を２枚向き合わせに重ね、その４隅に緩衝体としての角筒部を配置し胴体部で覆いＰＰテープ１８で封緘するこで梱包を完了する。
【００３４】
【発明の効果】
以上詳記したように請求項１記載の本発明によれば、緩衝体としての機能を有する角筒部を最小限の材料で胴体部と一体化することて、包装材の製造から、運搬、梱包、包装材の産業廃棄物処理に至るまでの、包装にかかる全ての工程においてシンプルで合理的な包装装置を提供する。
【００３５】
さらに、フラップ部を角筒部内および角筒部外に鋭角に折り曲げ当該角筒部で係止させることで、角筒部が菱形に倒れたがる癖を矯正し、常に、被包装物に対して直角に保つことで、落下等の衝撃から緩衝体としての角筒部が、潰れるのを防止し、包装装置を強固なものにしている。
【図面の簡単な説明】
【図１】本発明の第１実施の形態に係る包装装置を示す展開図。
【図２】同第１実施の形態における包装装置に被包装物を包装する状態を示す斜視図。
【図３】同第１実施の形態における包装装置を組み立てた状態を示す斜視図。
【図４】同第１実施の形態における包装装置を組み立てた状態を示す正面断面図。
【図５】同第１実施の形態における包装装置を組み立てた状態を示す上面図。
【図６】同第１実施の形態における包装装置を組み立てた状態を示す側面図。
【図７】従来技術に係る包装装置で被包装物を包装する状態を示す斜視図。
【符号の説明】
２…底面部，
３…側面部，
４…天面部，
５…つま面部，
６…角筒部，
６ｄ…角筒部の折曲げ片（角筒部の外端面），
７…切り欠き，
８…切欠き凹部，
９…フラップ部，
１０…スリット，
２０…被包装物（反射笠），
２０ａ…被包装物の突出部（反射笠の枠部）。
【図１】
0003772497.tif 000002
【図２】
0003772497.tif 000003
【図３】
0003772497.tif 000004
【図４】
0003772497.tif 000005
【図５】
0003772497.tif 000006
【図６】
0003772497.tif 000007
【図７】
0003772497.tif 000008